(57)【要約】【課題】レンズシフトによるシフト量を所定の閾値を超えないようにすることでジッタの発生を防止すると共に、安定性の高い高速シーク動作を実現することができる光ディスク装置を提供する。【解決手段】本発明に係る光ディスク装置は、光ディスクの読み取り位置を所与のシーク量だけ径方向に移動させる光ディスク装置において、対物レンズを具備し対物レンズを光ディスクの径方向に移動可能な光ピックアップと、光ピックアップを光ディスクの径方向に移動させるピックアップ移動手段と、対物レンズの移動と光ピックアップの移動を制御するシーク制御部と、を備え、シーク制御部は、光ピックアップの移動が完了した後、対物レンズの中立位置からのシフト量が所定の閾値を超えないように対物レンズを移動して、シーク量の移動を行う、ことを特徴とする。【選択図】  図１
2008300004.tif 000002
【特許請求の範囲】
【請求項１】
光ディスクの読み取り位置を所与のシーク量だけ径方向に移動させる光ディスク装置において、
対物レンズを具備し、前記対物レンズを光ディスクの径方向に移動可能な光ピックアップと、
前記光ピックアップを前記光ディスクの径方向に移動可能なピックアップ移動手段と、
前記対物レンズの移動と前記光ピックアップの移動とを制御するシーク制御部と、
を備え、
前記シーク制御部は、
前記光ピックアップを移動し、
前記光ピックアップの移動が完了した後、前記対物レンズの中立位置からのシフト量が所定の閾値を超えないように前記対物レンズを移動して、前記シーク量の移動を行う、
ことを特徴とする光ディスク装置。
【請求項２】
前記シーク制御部は、
前記シーク量が前記所定の閾値を超えるか否かを判定し、
前記シーク量が前記所定の閾値を超える場合には、
前記所定の閾値を超えない範囲で前記対物レンズの移動量を決定すると共に、決定した前記対物レンズの移動量と前記光ピックアップの移動量との合計値が前記シーク量となるように前記光ピックアップの移動量を決定する、
ことを特徴とする請求項１に記載の光ディスク装置。
【請求項３】
前記対物レンズの移動量、前記光ピックアップの移動量、及び前記シーク量は、夫々トラック本数を単位とする量である、
ことを特徴とする請求項２に記載の光ディスク装置。
【請求項４】
前記ピックアップ移動手段は、ステッピングモータを備えて構成される、
ことを特徴とする請求項１に記載の光ディスク装置。
【請求項５】
光ディスクの読み取り位置を所与のシーク量だけ径方向に移動させる光ディスク装置の制御方法において、
（ａ）光ピックアップが具備する対物レンズを光ディスクの径方向に移動し、
（ｂ）前記光ピックアップを前記光ディスクの径方向に移動し、
（ｃ）前記対物レンズの移動と前記光ピックアップの移動とを制御する、
するステップを備え、
ステップ（ｃ）では、
前記光ピックアップの移動を制御し、
前記光ピックアップの移動が完了した後、前記対物レンズの中立位置からのシフト量が所定の閾値を超えないように前記対物レンズの移動を制御して、前記シーク量の移動を行う、
ことを特徴とする光ディスク装置の制御方法。
【請求項６】
ステップ（ｃ）では、
前記シーク量が前記所定の閾値を超えるか否かを判定し、
前記シーク量が前記所定の閾値を超える場合には、
前記所定の閾値を超えない範囲で前記対物レンズの移動量を決定すると共に、決定した前記対物レンズの移動量と前記光ピックアップの移動量との合計値が前記シーク量となるように前記光ピックアップの移動量を決定する、
ことを特徴とする請求項５に記載の光ディスク装置の制御方法。
【請求項７】
前記対物レンズの移動量、前記光ピックアップの移動量、及び前記シーク量は、夫々トラック本数を単位とする量である、
ことを特徴とする請求項６に記載の光ディスク装置の制御方法。
【発明の詳細な説明】
【技術分野】
【０００１】
本発明は光ディスク装置及びその制御方法に係り、特に、レーザ光の焦点を光ディスクの半径方向に高速に移動させる技術に関する。
【背景技術】
【０００２】
ＣＤやＤＶＤといった光ディスクには、螺旋状のトラックが設けられており、このトラックに沿ってデータが記録されている、光ディスク装置では光ピックアップを用いてトラック上のデータを読み取っている。
【０００３】
データを正しく読み取るためには、レーザ光の焦点が正確にトラック上に維持されなければならず、このため光ディスク装置はトラッキングサーボ機構を具備している。光ピックアップには、対物レンズが装着されたレンズホルダがサスペンションワイア等で片持ちに保持されている。トラッキングサーボでは、トラッキング駆動電流によってこのレンズホルダを半径方向に電磁力で駆動し、対物レンズの焦点がトッラク上に維持されるようにサーボループで制御している。
【０００４】
一方、ＣＤやＤＶＤでは、音楽や映像を通常の速度で再生するモードの他に、早送りモードや任意の曲やチャプターを選択するモードもある。早送りモード等では、複数のトラックを跨いでレーザ光の焦点を高速に移動させる。このような動作を高速シーク動作という。高速シーク動作では、トラッキングサーボループを一旦開き、目的のアドレス（トラック）に移動した後に再度トラッキングサーボループを閉じる。
【０００５】
レーザ光の焦点を移動させる方法は大別して２種類ある。１つは、トラッキング駆動電流を用いて対物レンズの位置を光ピックアップの内部で移動させる方法である。対物レンズの位置が複数のトラックをシフトして一気に移動するため、以下、この方法による移動を「レンズシフト」という。
【０００６】
他の１つは、光ピックアップ自体を移動させる方法であり、以下、「ピックアップ移動」という。光ピックアップは、送りねじの回転によって光ディスクの径方向に移動可能に構成されている。この送りねじをステッピングモータ等の送りモータによって回転させ、ピックアップ移動を行っている。
【０００７】
高速シーク動作による移動量（以下、シーク量という）が小さい場合には、レンズシフトのみの移動でも可能であるが、シーク量が大きくなった場合、レンズシフトとピックアップ移動とを組み合わせた移動が行われる。
【０００８】
特許文献１には、レンズシフトとピックアップ移動とを組み合わせた高速シーク動作に関する技術が開示されている。
【特許文献１】特開２００４−２７３００９号公報
【発明の開示】
【発明が解決しようとする課題】
【０００９】
レンズシフトを行った場合、対物レンズの位置は光ピックアップの中央（中立位置）からシフトする。中立位置では対物レンズの光軸は光ディスクの記録面に対して垂直であるが、中立位置からのシフト量が大きくなるにつれて光軸が若干傾斜してくる。これに起因して、シフト位置での再生信号の波形は、中立位置での波形に比べると若干歪みが生じ、結果的にジッタ量が多くなりデータリードエラーが発生する。
【００１０】
このような現象を防止するため、特許文献１では、対物レンズのシフト量が所定の閾値を超えないようにレンズシフトとピックアップ移動とを組み合わせる技術を開示している。具体的には、シーク量が対物レンズのシフト量の閾値を超えるか否かを事前に判断し、超えそうな場合には、レンズシフトとピックアップ移動とを同時に行うことによって、レンズシフトによるシフト量が閾値を超えないようにピックアップ移動の移動量を決定し、レンズシフトとピックアップ移動とを同時に行う、技術を開示している。
【００１１】
ところで、レンズシフトとピックアップ移動とを同時に行う場合、実際には両者のタイミングは必ずしも一致しない。一般に、レンズシフトの駆動の応答は、ピックアップ移動の応答よりも速い。レンズシフトの駆動はトラッキング駆動電流を用いた電磁力によって瞬時に行われるのに対して、ピックアップ移動は送りモータの回転によって送りねじを回転させる機構が介在するため、応答性はレンズシフトに比べると悪くなる。
【００１２】
この結果、レンズシフトとピックアップ移動とを同時に指示した後、トラッキングサーボループを閉じた時点で、目的とする移動先のトラックに達していないという現象が起こりうる。即ち、特許文献１が開示する技術は、高速シーク動作の安定性において改善の余地がある。
【００１３】
本発明は上記事情に鑑みてなされたもので、対物レンズのレンズシフトと光ピックアップの移動を併用して光ディスクの高速シーク動作を行う光ディスク装置において、レンズシフトによるシフト量を所定の閾値を超えないようにすることでジッタの発生を防止すると共に、安定性の高い高速シーク動作を実現することができる光ディスク装置及びその制御方法を提供することを目的とする。
【課題を解決するための手段】
【００１４】
上記課題を解決するため、本発明に係る光ディスク装置は、請求項１に記載したように、光ディスクの読み取り位置を所与のシーク量だけ径方向に移動させる光ディスク装置において、対物レンズを具備し、前記対物レンズを光ディスクの径方向に移動可能な光ピックアップと、前記光ピックアップを前記光ディスクの径方向に移動可能なピックアップ移動手段と、前記対物レンズの移動と前記光ピックアップの移動を制御するシーク制御部と、を備え、前記シーク制御部は、前記光ピックアップを移動し、前記光ピックアップの移動が完了した後、前記対物レンズの中立位置からのシフト量が所定の閾値を超えないように前記対物レンズを移動して、前記シーク量の移動を行う、ことを特徴とする。
【００１５】
また、上記課題を解決するため、本発明に係る光ディスク装置の制御方法は、請求項５に記載したように、光ディスクの読み取り位置を所与のシーク量だけ径方向に移動させる光ディスク装置の制御方法において、（ａ）光ピックアップが具備する対物レンズを光ディスクの径方向に移動し、（ｂ）前記光ピックアップを前記光ディスクの径方向に移動し、（ｃ）前記対物レンズの移動と前記光ピックアップの移動を制御する、するステップを備え、ステップ（ｃ）では、前記光ピックアップの移動を制御し、前記光ピックアップの移動が完了した後、前記対物レンズの中立位置からのシフト量が所定の閾値を超えないように前記対物レンズの移動を制御して、前記シーク量の移動を行う、ことを特徴とする。
【発明の効果】
【００１６】
本発明に係る光ディスク装置及びその制御方法によれば、対物レンズのレンズシフトと光ピックアップの移動を併用して光ディスクの高速シーク動作を行う光ディスク装置において、レンズシフトによるシフト量を所定の閾値を超えないようにすることでジッタの発生を防止すると共に、安定性の高い高速シーク動作を実現することができる。
【発明を実施するための最良の形態】
【００１７】
（１）光ディスク装置の構成と全般動作
図１は、本実施形態に係る光ディスク装置１の構成例を示す図である。
【００１８】
図１に示した光ディスク装置１は、ＣＤ−Ｒ、ＣＤ−ＲＷ、ＣＤ−ＲＡＭ、ＤＶＤ−Ｒ、ＤＶＤ−ＲＷ、ＤＶＤ−ＲＡＭ等の記録型光ディスク１００に対して、記録と再生の双方が可能な構成を示しているが、本発明は再生専用の光ディスク装置に対しても適用可能である。
【００１９】
光ディスク１００には、螺旋状に溝が刻まれており、溝の凹部をグルーブ、凸部をランドと呼び、グループ又はランドの一周をトラックと呼ぶ。ユーザデータはこのトラック（グルーブのみ又はグルーブ及びランド）に沿って、強度変調されたレーザ光を照射してデータの符号長に対応するマークとスペースを形成することで記録される。
【００２０】
データ再生は、記録時より弱いリードパワー(read power)のレーザ光をトラックに沿って照射して、トラック上にあるマーク及びスペースからの反射光の強度の変化を検出することにより行われる。記録されたデータの消去は、前記リードパワーより強いイレースパワー(erase power)のレーザ光をトラックに沿って照射し、記録層を結晶化することにより行われる。
【００２１】
なお、再生専用の光ディスク１００、例えばＣＤ−ＲＯＭやＤＶＤ−ＲＯＭの場合、記録情報に対応するピットが予めトラック上に形成されており、ピットの有無によって変化する反射光の強弱によって再生信号を生成している。
【００２２】
光ディスク１００はスピンドルモータ２によって回転駆動される。スピンドルモータ２に設けられたロータリエンコーダ２ａからは回転数モニタ信号が出力される。ロータリエンコーダ２ａの内部には、例えばホール素子が等間隔に配置されており、スピンドルモータ２が回転すると、各ホール素子からパルス（ＦＧパルス：Frequency  Generator  pulseと呼ばれることもある）が出力され、スピンドルモータ２の１回転で所定数の複数パルスがロータリエンコーダ２ａから出力される。このＦＧパルスをカウントするにことによってスピンドルモータ２の回転速度を検出することができる。
【００２３】
スピンドルモータ制御回路６２では、ロータリエンコーダ２ａから出力される回転速度情報（回転数モニタ信号）が、制御部７０から指示される基準回転速度に一致するように、一定回転速度（角速度）制御（ＣＡＶ：Constant  Angular  Velocity）を行っている。また、モータ駆動部６２では、一定線速度制御（ＣＬＶ：Constant  Linear  Velocity）も行っている。ＣＬＶは、トラックの線速度が一定となるように回転速度を制御する方法であり、光ディスク１００の内側では回転速度が高く、外側では回転速度が低くなるように制御している。ＣＬＶでは、再生信号からＰＬＬ制御回路６１によって再生用基準クロックを生成し、この基準クロックの周波数が一定となるように回転速度制御を行っている。
【００２４】
光ディスク１００に対する情報の記録、再生は、光ピックアップ３によって行われる。光ピックアップ３は、送りモータ４と、ギア４ｂ及びスクリューシャフト４ａを介して連結されており、この送りモータ４は、例えばステッピングモータであり、送りモータ制御回路５により制御される。送りモータ４が送りモータ制御回路５からの送りモータ駆動電流により回転することにより、光ピックアップ３が光ディスク１００の半径方向に移動する。
【００２５】
送りモータ４、ギア４ｂ、スクリューシャフト４ａ、及び送りモータ制御回路５でピックアップ移動手段４０を構成している。
【００２６】
光ピックアップ３には、図示しないワイヤ或いは板バネによって支持された対物レンズ３０が設けられている。対物レンズ３０は駆動コイル３１の駆動によりフォーカシング方向（対物レンズの光軸方向）への移動が可能である。また、駆動コイル３２の駆動によりトラッキング方向（光ディスク１００の径方向）への移動が可能である。
【００２７】
レーザ駆動回路６は、変調部７２にてＥＦＭ（Eight  to  Fourteen  Modulation）方式や８／１６変調方式等で変調された記録データ基づいて、書き込み用の駆動電流をレーザダイオード（レーザ発光素子）３３に供給する。変調部７２には、ホスト装置２００からＩ／Ｆ部７１を介して記録用のデータが供給される。
【００２８】
一方、レーザ駆動回路６は情報読取り時には、書き込み用の駆動電流よりも小さな読み取り用の駆動電流をレーザダイオード３３に提供する。
【００２９】
フォトダイオード等により構成されるパワー検出部３４（フロントモニタ（ＦＭ）と呼ぶ場合もある）はレーザ発光素子３３が発生するレーザ光の一部をハーフミラー３５により一定比率だけ分岐し、光量、即ち発光パワーに比例した信号を受光信号として検出する。検出した受光信号はレーザ駆動回路６にフィードバックされる。レーザ駆動回路６はパワー検出部３４からの受光信号に基づいて、所定のレーザパワーで発光するように、レーザ発光素子３３を制御する。
【００３０】
レーザ発光素子３３はレーザ駆動回路６から供給される駆動電流に応じてレーザ光を発生する。レーザ発光素子３３から発せられるレーザ光は、コリメータレンズ３６、ハーフプリズム３７、対物レンズ３０を介して光ディスク１００上に照射される。
【００３１】
一方、光ディスク１００からの反射光は、対物レンズ３０、ハーフプリズム３７、集光レンズ３８、およびシリンドリカルレンズ３９を介して、光検出器４０に導かれる。
【００３２】
光検出器４０は、例えば４分割の光検出セルから成り、これら光検出セルの検知信号は再生部６０のＲＦアンプ６４に出力される。ＲＦアンプ６４は光検知セルからの信号を処理し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号である再生信号を生成する。
【００３３】
フォーカスエラー信号ＦＥはフォーカス制御部８に供給される。フォーカス制御部８は、フォーカスサーボループが閉じている状態では、フォーカスエラー信号ＦＥに基づいてフォーカス駆動信号を生成する。フォーカス駆動信号はフォーカシング方向の駆動コイル３１に供給され対物レンズ３０を光軸方向に駆動する。この結果、レーザ光の焦点が光ディスク１００の記録面上に常時ジャストフォーカスとなるフォーカスサーボ制御が行われる。なお、フォーカスサーボループの引き込み範囲にレーザ光の焦点を移動させるために、フォーカスサーチが行われるが、このときには制御部７０からの制御信号によってフォーカスサーボループを開いた状態で焦点の移動が行われる。
【００３４】
一方、トラッキングエラー信号ＴＥはトラック制御回路９に供給される。トラック制御回路９はトラッキングエラー信号ＴＥに応じてトラック駆動信号を生成する。トラック制御回路９から出力されるトラック駆動信号は、トラッキング方向の駆動コイル３２に供給される。これによりレーザ光が光ディスク１００上に形成されたトラック上を常にトレースするトラッキングサーボ制御が行われる。
【００３５】
なお、後述する高速シーク動作では、送りモータ４による光ピックアップ３の移動と、駆動コイル３２による対物レンズの移動とが併用して行われる。このときには、制御部７０からの制御によってトラッキングサーボループはオープンにされ、シーク制御部９０から供給される対物レンズ移動量信号によって対物レンズ３０の径方向の位置が制御される。
【００３６】
上記フォーカスサーボ制御およびトラッキングサーボ制御が行われることで、レーザ光の焦点は、光ディスク記録面のトラック上を精度良く追従することができる。この結果、光検出器４０の各光検出セルの出力信号の全加算信号ＲＦには、記録情報に対応して光ディスク１００のトラック上に形成されたマークやスペースからの反射光の変化が正確に反映され、品質の良い再生信号を得ることができる。
【００３７】
この再生信号（全加算信号ＲＦ）は、プリアンプ／等化器６５に入力され、ここで適宜の振幅に増幅されアナログ的な波形整形が行われる。プリアンプ／等化器６５の出力は、２値化処理部６６に入力され、適宜の閾値でスライスされてデジタルデータに変換される。また、このデジタルデータの一部は、ＰＬＬ制御回路６１に入力され、デジタルデータの基本波成分から再生用基本クロックが生成される。
【００３８】
デジタル化された再生信号は、データ復号部８０に入力される。データ復号部８０では、再生信号に含まれる同期信号を検出し、同期信号に所定の遅延時間で連なっているデータ系列を抽出し、復号データを得る。
【００３９】
データ復号部８０から出力される復号データはエラー訂正部７５に入力され、ここでエラー訂正処理が行われた後Ｉ／Ｆ部７１を介してホスト装置２００に出力される。
【００４０】
（２）高速シーク動作
音楽や映像を通常の速度で連続的に再生する場合には、トラッキングサーボループを閉じた状態でトラッキング制御回路９から出力されるトラック駆動電流によって対物レンズ３０の位置はトラック上に制御される。このとき、トラッキングサーボループのＤＣ成分が送りモータ制御回路５に入力され、光ピックアップ３の位置も光ディスク１００の内周から外周方向へゆっくりと移動する。このような動作によって、光ディスク１００の内周から外周に向かって螺旋状に形成されているトッラクに沿ってレーザ光の焦点は移動していく。
【００４１】
他方、音楽や映像を早送りする場合や、ホスト装置２００から指示される特定の曲やチャプターに移動する場合には、高速シーク動作が行われる。高速シーク動作では、光ディスク１００の径方向にレーザ光の焦点を一気に移動させる。移動量はシーク量と呼ばれ、例えば現在のトッラクから移動先のトラックまでのトラック本数等で表わされる。音楽や映像を早送りする場合には、高速シーク動作が連続的に行われることになる。
【００４２】
高速シーク動作が行われるときは、一旦トラッキングサーボループが開かれ、目的とするトラックに移動した後、再度トラッキングサーボループが閉じられる。
【００４３】
ホスト装置２００から早送りの指示や特定の曲やチャプターに移動する指示が出されると、制御部７０では、移動すべき量をシーク量に変換して図１に示したシーク制御部９０に出力する。
【００４４】
シーク制御部９０では、シーク量を２つの移動量に割り振る。１つは、対物レンズ３０を光ピックアップ３の内部で径方向に移動させるための対物レンズ移動量であり、他の１つは、光ピックアップ３全体を径方向に移動させるためのピックアップ移動量である。
【００４５】
本実施形態では、シーク制御部９０がシーク量を２つの移動量に割り振る際に、対物レンズ移動量の上下限値を考慮して決定する方式を採用している。
【００４６】
図２は、その理由を説明する図である。対物レンズ３０を光ピックアップ３の内部で径方向に移動させる場合、トラック駆動電流を駆動コイル３２に流すことによって生じる電磁力を用いて移動させている。トラック駆動電流がゼロのとき電磁力は径方向に発生せず、対物レンズ３０は、図２（ａ）の破線丸印で示す中立位置にある。この中立位置から、図２において左右方向（径方向）の変位量をレンズシフト量と呼ぶものとする。
【００４７】
対物レンズ３０が中立位置にあるときは、対物レンズ３０の光軸は光ディスク１００の記録面に対して垂直になるように調整されている。このとき、図２（ｂ）に示したようにジッタ量は最も小さくなる。ジッタ量は光ディスク装置１の総合的な再生性能を表わす重要な評価指標の１つであり、ジッタ量の増加に伴って再生データの誤り率も増加する。
【００４８】
レンズシフトを行った場合、中立位置からのレンズシフト量が大きくなるにつれて対物レンズ３０の光軸が傾斜してくる。これに起因して、シフト位置での再生信号の波形は、中立位置での波形に比べると若干歪みが生じ、結果的にジッタ量が多くなり再生データの誤り率が増加してくる。
【００４９】
そこで、本実施形態では、レンズシフト量の限界を示すシフト量閾値を中立位置の両側に設け、対物レンズ３０の位置がこのシフト量閾値を超えて移動することがないようにしている。シフト量閾値は、ジッタ量の劣化に基づいて定めており、例えば、中立位置におけるジッタ量よりも１％だけジッタが増加する対物レンズ３０の位置をシフト量閾値として設定している。
【００５０】
次に、このシフト量閾値を用いた高速シーク動作について説明する。図３は、本実施形態に係る高速シーク動作の処理の一例を示すフローチャートである。また、図４は、光ピックアップ３の位置と、対物レンズ３０の位置とを模式的に示すことによって、本実施形態に係る高速シーク動作を説明する図である。
【００５１】
図３のステップＳＴ１で、シーク制御部９０は制御部７０からシーク量Ｌｓを受領する。この段階では、トラッキングサーボ処理を行っており、対物レンズ３０は、図４（ａ）に例示した移動前の位置にある
シーク制御部９０は、受領したシーク量Ｌｓが、対物レンズ３０のみをシフト量閾値の範囲内で移動させることによって移動できる量か否かを判定する（ステップＳＴ２）。シーク量Ｌｓが小さく、対物レンズ３０をシフト量閾値の範囲内で目的のトラックまで移動させることができる場合（ステップＳＴ２のYES）、ステップＳＴ３に進む。
【００５２】
ステップＳＴ３では、トラッキングサーボループを一旦開いてホールドし、指示されたシーク量Ｌｓだけ対物レンズ３０を移動させる（対物レンズ３０を瞬時に移動させるため、レンズジャンプという場合もある）。対物レンズ３０を移動させた後、トラッキングサーボループを閉じてトラッキングサーボ処理を再開する。この場合、ステップＳＴ２の判定により、レンズシフト量がシフト量閾値内に入ることが保証されているため、ジッタ量も所定の範囲内に収まっている。
【００５３】
一方、ステップＳＴ２にて、対物レンズ３０のみをシフト量閾値の範囲内で移動させても、指示されたシーク量Ｌｓの移動ができないと判定されると（ステップＳＴ２のＮＯ）、対物レンズ３０の移動と光ピックアップ３の移動とを併用することになる。この場合ステップＳＴ４に進む。
【００５４】
ステップＳＴ４では、対物レンズ３０がシフト量閾値内に入る条件の下で、対物レンズの移動量Ｌａと、光ピックアップ３の移動量Ｌｂとを決定する。対物レンズの移動量Ｌａと、光ピックアップ３の移動量Ｌｂの合計値（Ｌａ＋Ｌｂ）が指示されたシーク量Ｌｓである。ここで決定された対物レンズの移動量Ｌａは、ジッタ量が所定の範囲内に収まることが保証された移動量である。
【００５５】
次に、トラッキングサーボループを一旦開いてホールドした後、先に光ピックアップ３の位置を移動量Ｌｂだけ移動させる（ステップＳＴ５）。その後、光ピックアップ３の移動が完了したか否かを確認する（ステップＳＴ６）。この確認は、送りモータ制御回路５からフィードバックされる移動量モニタ信号によって行うことができる。
【００５６】
光ピックアップ３の移動完了を確認した後、対物レンズ３０をステップＳＴ４で決定した移動量Ｌａだけ移動させ、トラッキングサーボループを閉じる（ステップＳＴ７）。
【００５７】
特許文献１が開示するように、光ピックアップ３の移動と対物レンズ３０の移動を同時に行う方法も考えられるが、この方法では次のような不都合が発生する場合がある。即ち、シーク制御部９０から、トラック制御回路９に対する光ピックアップ３の移動と、送りモータ制御回路５に対する対物レンズ３０の移動とを同時に指示し、その後、トラッキングサーボループを閉じると、目的とするトラックとは異なるトラックでトラッキングサーボ処理が開始される場合がある。一般に、モータの回転を伴う光ピックアップ３の移動の応答速度は、電磁力による対物レンズの移動の応答速度に比べると遅い。このため、光ピックアップ３の移動と対物レンズ３０の移動を同時に指示した場合、実際には対物レンズ３０の移動が先に行われ、光ピックアップ３の移動が完了する前にトラッキングサーボ処理が開始され、目的位置とは異なるトラックでトラッキングサーボ処理が開始されてしまう事象が起こりうる。
【００５８】
このような不都合を回避するためには、応答性の高い送りモータや送り機構を必要とし、光ディスク装置１全体のコストを引き上げてしまう。
【００５９】
これに対して、本実施形態では、図３に示したように、先に光ピックアップ３を移動させ、その移動の完了を確認した後、対物レンズ３０を移動させ、その後トラッキングサーボループを閉じるシーケンスとしている。
【００６０】
このため、光ピックアップ３の移動と対物レンズ３０の移動を同時に行う場合に比べると若干シーク動作全体の速度は遅くなるものの、目的とするトラックに確実に移動し、そこでの安定したトラッキングサーボ処理が可能となる。また、必ずしも応答性の高い送りモータや送り機構を必要としないため、光ディスク装置１全体のコストを抑えることができる。
【００６１】
以上説明してきたように、本実施形態に係る光ディスク装置１、及びその制御方法によれば、対物レンズのレンズシフトと光ピックアップの移動を併用して光ディスクの高速シーク動作を行う光ディスク装置において、レンズシフトによるシフト量を所定の閾値を超えないようにすることでジッタの発生を防止すると共に、目的とするトラックに確実に移動させ、安定性の高い高速シーク動作を実現することができる。
【００６２】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６３】
【図１】本発明の実施形態に係る光ディスク装置の構成例を示す図。
【図２】対物レンズのレンズシフト量とジッタ量の関係を示す図。
【図３】本実施形態に係る光ディスク装置の高速シーク動作の処理例を示すフローチャート。
【図４】本実施形態に係る光ディスク装置の高速シーク動作の概念説明図。
【符号の説明】
【００６４】
１  光ディスク装置
２  スピンドルモータ
３  光ピックアップ
４  送りモータ
５  送りモータ制御回路
４０  ピックアップ移動手段
６０  再生部
９０  シーク制御部
【図１】
2008300004.tif 000003
【図２】
2008300004.tif 000004
【図３】
2008300004.tif 000005
【図４】
2008300004.tif 000006
【手続補正書】
【提出日】平成19年7月19日(2007.7.19)
【手続補正１】
【補正対象書類名】明細書
【補正対象項目名】全文
【補正方法】変更
【補正の内容】
【発明の詳細な説明】
【技術分野】
【０００１】
本発明は光ディスク装置及びその制御方法に係り、特に、レーザ光の焦点を光ディスクの半径方向に高速に移動させる技術に関する。
【背景技術】
【０００２】
ＣＤやＤＶＤといった光ディスクには、螺旋状のトラックが設けられており、このトラックに沿ってデータが記録されている、光ディスク装置では光ピックアップを用いてトラック上のデータを読み取っている。
【０００３】
データを正しく読み取るためには、レーザ光の焦点が正確にトラック上に維持されなければならず、このため光ディスク装置はトラッキングサーボ機構を具備している。光ピックアップには、対物レンズが装着されたレンズホルダがサスペンションワイア等で片持ちに保持されている。トラッキングサーボでは、トラッキング駆動電流によってこのレンズホルダを半径方向に電磁力で駆動し、対物レンズの焦点がトラック上に維持されるようにサーボループで制御している。
【０００４】
一方、ＣＤやＤＶＤでは、音楽や映像を通常の速度で再生するモードの他に、早送りモードや任意の曲やチャプターを選択するモードもある。早送りモード等では、複数のトラックを跨いでレーザ光の焦点を高速に移動させる。このような動作を高速シーク動作という。高速シーク動作では、トラッキングサーボループを一旦開き、目的のアドレス（トラック）に移動した後に再度トラッキングサーボループを閉じる。
【０００５】
レーザ光の焦点を移動させる方法は大別して２種類ある。１つは、トラッキング駆動電流を用いて対物レンズの位置を光ピックアップの内部で移動させる方法である。対物レンズの位置が複数のトラックをシフトして一気に移動するため、以下、この方法による移動を「レンズシフト」という。
【０００６】
他の１つは、光ピックアップ自体を移動させる方法であり、以下、「ピックアップ移動」という。光ピックアップは、送りねじの回転によって光ディスクの径方向に移動可能に構成されている。この送りねじをステッピングモータ等の送りモータによって回転させ、ピックアップ移動を行っている。
【０００７】
高速シーク動作による移動量（以下、シーク量という）が小さい場合には、レンズシフトのみの移動でも可能であるが、シーク量が大きくなった場合、レンズシフトとピックアップ移動とを組み合わせた移動が行われる。
【０００８】
特許文献１には、レンズシフトとピックアップ移動とを組み合わせた高速シーク動作に関する技術が開示されている。
【特許文献１】特開２００４−２７３００９号公報
【発明の開示】
【発明が解決しようとする課題】
【０００９】
レンズシフトを行った場合、対物レンズの位置は光ピックアップの中央（中立位置）からシフトする。中立位置では対物レンズの光軸は光ディスクの記録面に対して垂直であるが、中立位置からのシフト量が大きくなるにつれて光軸が若干傾斜してくる。これに起因して、シフト位置での再生信号の波形は、中立位置での波形に比べると若干歪みが生じ、結果的にジッタ量が多くなりデータリードエラーが発生する。
【００１０】
このような現象を防止するため、特許文献１では、対物レンズのシフト量が所定の閾値を超えないようにレンズシフトとピックアップ移動とを組み合わせる技術を開示している。具体的には、シーク量が対物レンズのシフト量の閾値を超えるか否かを事前に判断し、超えそうな場合には、レンズシフトとピックアップ移動とを同時に行うことによって、レンズシフトによるシフト量が閾値を超えないようにピックアップ移動の移動量を決定し、レンズシフトとピックアップ移動とを同時に行う、技術を開示している。
【００１１】
ところで、レンズシフトとピックアップ移動とを同時に行う場合、実際には両者のタイミングは必ずしも一致しない場合がある。一般に、レンズシフトの駆動の応答は、ピックアップ移動の応答よりも速い。レンズシフトの駆動はトラッキング駆動電流を用いた電磁力によって瞬時に行われるのに対して、ピックアップ移動は送りモータの回転によって送りねじを回転させる機構が介在するため、ギアなどの機構を介在することによる応答性の遅れが生じる。レンズシフトとピックアップ送りの応答性の差は、送り機構に依存する。
【００１２】
ピックアップ移動の応答性が悪い場合、レンズシフトとピックアップ移動とを同時に指示した後、トラッキングサーボループを閉じた時点で、目的とする移動先のトラックに達していないという現象が起こりうる。即ち、特許文献１が開示する技術は、高速シーク動作の安定性において改善の余地がある。
【００１３】
本発明は上記事情に鑑みてなされたもので、対物レンズのレンズシフトと光ピックアップの移動を併用して光ディスクの高速シーク動作を行う光ディスク装置において、レンズシフトによるシフト量を所定の閾値を超えないようにすることでジッタの発生を防止すると共に、安定性の高い高速シーク動作を実現することができる光ディスク装置及びその制御方法を提供することを目的とする。
【課題を解決するための手段】
【００１４】
上記課題を解決するため、本発明に係る光ディスク装置は、請求項１に記載したように、光ディスクの読み取り位置を所与のシーク量だけ径方向に移動させる光ディスク装置において、対物レンズを具備し、前記対物レンズを光ディスクの径方向に移動可能な光ピックアップと、前記光ピックアップを前記光ディスクの径方向に移動可能なピックアップ移動手段と、前記対物レンズの移動と前記光ピックアップの移動を制御するシーク制御部と、を備え、前記シーク制御部は、前記光ピックアップを移動し、前記光ピックアップの移動が完了した後、前記対物レンズの中立位置からのシフト量が所定の閾値を超えないように前記対物レンズを移動して、前記シーク量の移動を行う、ことを特徴とする。
【００１５】
また、上記課題を解決するため、本発明に係る光ディスク装置の制御方法は、請求項５に記載したように、光ディスクの読み取り位置を所与のシーク量だけ径方向に移動させる光ディスク装置の制御方法において、（ａ）光ピックアップが具備する対物レンズを光ディスクの径方向に移動し、（ｂ）前記光ピックアップを前記光ディスクの径方向に移動し、（ｃ）前記対物レンズの移動と前記光ピックアップの移動を制御する、するステップを備え、ステップ（ｃ）では、前記光ピックアップの移動を制御し、前記光ピックアップの移動が完了した後、前記対物レンズの中立位置からのシフト量が所定の閾値を超えないように前記対物レンズの移動を制御して、前記シーク量の移動を行う、ことを特徴とする。
【発明の効果】
【００１６】
本発明に係る光ディスク装置及びその制御方法によれば、対物レンズのレンズシフトと光ピックアップの移動を併用して光ディスクの高速シーク動作を行う光ディスク装置において、レンズシフトによるシフト量を所定の閾値を超えないようにすることでジッタの発生を防止すると共に、安定性の高い高速シーク動作を実現することができる。
【発明を実施するための最良の形態】
【００１７】
（１）光ディスク装置の構成と全般動作
図１は、本実施形態に係る光ディスク装置１の構成例を示す図である。
【００１８】
図１に示した光ディスク装置１は、ＣＤ−Ｒ、ＣＤ−ＲＷ、ＣＤ−ＲＡＭ、ＤＶＤ−Ｒ、ＤＶＤ−ＲＷ、ＤＶＤ−ＲＡＭ等の記録型光ディスク１００に対して、記録と再生の双方が可能な構成を示しているが、本発明は再生専用の光ディスク装置に対しても適用可能である。
【００１９】
光ディスク１００には、螺旋状に溝が刻まれており、溝の凹部をグルーブ、凸部をランドと呼び、グループ又はランドの一周をトラックと呼ぶ。ユーザデータはこのトラック（グルーブのみ又はグルーブ及びランド）に沿って、強度変調されたレーザ光を照射してデータの符号長に対応するマークとスペースを形成することで記録される。
【００２０】
データ再生は、記録時より弱いリードパワー(read power)のレーザ光をトラックに沿って照射して、トラック上にあるマーク及びスペースからの反射光の強度の変化を検出することにより行われる。記録されたデータの消去は、前記リードパワーより強いイレースパワー(erase power)のレーザ光をトラックに沿って照射し、記録層を結晶化することにより行われる。
【００２１】
なお、再生専用の光ディスク１００、例えばＣＤ−ＲＯＭやＤＶＤ−ＲＯＭの場合、記録情報に対応するピットが予めトラック上に形成されており、ピットの有無によって変化する反射光の強弱によって再生信号を生成している。
【００２２】
光ディスク１００はスピンドルモータ２によって回転駆動される。スピンドルモータ２に設けられたロータリエンコーダ２ａからは回転数モニタ信号が出力される。ロータリエンコーダ２ａの内部には、例えばホール素子が等間隔に配置されており、スピンドルモータ２が回転すると、各ホール素子からパルス（ＦＧパルス：Frequency  Generator  pulseと呼ばれることもある）が出力され、スピンドルモータ２の１回転で所定数の複数パルスがロータリエンコーダ２ａから出力される。このＦＧパルスをカウントするにことによってスピンドルモータ２の回転速度を検出することができる。
【００２３】
スピンドルモータ制御回路６２では、ロータリエンコーダ２ａから出力される回転速度情報（回転数モニタ信号）が、制御部７０から指示される基準回転速度に一致するように、一定回転速度（角速度）制御（ＣＡＶ：Constant  Angular  Velocity）を行っている。また、モータ駆動部６２では、一定線速度制御（ＣＬＶ：Constant  Linear  Velocity）も行っている。ＣＬＶは、トラックの線速度が一定となるように回転速度を制御する方法であり、光ディスク１００の内側では回転速度が高く、外側では回転速度が低くなるように制御している。ＣＬＶでは、再生信号からＰＬＬ制御回路６１によって再生用基準クロックを生成し、この基準クロックの周波数が一定となるように回転速度制御を行っている。
【００２４】
光ディスク１００に対する情報の記録、再生は、光ピックアップ３によって行われる。光ピックアップ３は、送りモータ４と、ギア４ｂ及びスクリューシャフト４ａを介して連結されており、この送りモータ４は、例えばステッピングモータであり、送りモータ制御回路５により制御される。送りモータ４が送りモータ制御回路５からの送りモータ駆動電流により回転することにより、光ピックアップ３が光ディスク１００の半径方向に移動する。
【００２５】
送りモータ４、ギア４ｂ、スクリューシャフト４ａ、及び送りモータ制御回路５でピックアップ移動手段４０を構成している。
【００２６】
光ピックアップ３には、図示しないワイヤ或いは板バネによって支持された対物レンズ３０が設けられている。対物レンズ３０は駆動コイル３１の駆動によりフォーカシング方向（対物レンズの光軸方向）への移動が可能である。また、駆動コイル３２の駆動によりトラッキング方向（光ディスク１００の径方向）への移動が可能である。
【００２７】
レーザ駆動回路６は、変調部７２にてＥＦＭ（Eight  to  Fourteen  Modulation）方式や８／１６変調方式等で変調された記録データ基づいて、書き込み用の駆動電流をレーザダイオード（レーザ発光素子）３３に供給する。変調部７２には、ホスト装置２００からＩ／Ｆ部７１を介して記録用のデータが供給される。
【００２８】
一方、レーザ駆動回路６は情報読取り時には、書き込み用の駆動電流よりも小さな読み取り用の駆動電流をレーザダイオード３３に提供する。
【００２９】
フォトダイオード等により構成されるパワー検出部３４（フロントモニタ（ＦＭ）と呼ぶ場合もある）はレーザ発光素子３３が発生するレーザ光の一部をハーフミラー３５により一定比率だけ分岐し、光量、即ち発光パワーに比例した信号を受光信号として検出する。検出した受光信号はレーザ駆動回路６にフィードバックされる。レーザ駆動回路６はパワー検出部３４からの受光信号に基づいて、所定のレーザパワーで発光するように、レーザ発光素子３３を制御する。
【００３０】
レーザ発光素子３３はレーザ駆動回路６から供給される駆動電流に応じてレーザ光を発生する。レーザ発光素子３３から発せられるレーザ光は、コリメータレンズ３６、ハーフプリズム３７、対物レンズ３０を介して光ディスク１００上に照射される。
【００３１】
一方、光ディスク１００からの反射光は、対物レンズ３０、ハーフプリズム３７、集光レンズ３８、およびシリンドリカルレンズ３９を介して、光検出器４０に導かれる。
【００３２】
光検出器４０は、例えば４分割の光検出セルから成り、これら光検出セルの検知信号は再生部６０のＲＦアンプ６４に出力される。ＲＦアンプ６４は光検知セルからの信号を処理し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号である再生信号を生成する。
【００３３】
フォーカスエラー信号ＦＥはフォーカス制御部８に供給される。フォーカス制御部８は、フォーカスサーボループが閉じている状態では、フォーカスエラー信号ＦＥに基づいてフォーカス駆動信号を生成する。フォーカス駆動信号はフォーカシング方向の駆動コイル３１に供給され対物レンズ３０を光軸方向に駆動する。この結果、レーザ光の焦点が光ディスク１００の記録面上に常時ジャストフォーカスとなるフォーカスサーボ制御が行われる。なお、フォーカスサーボループの引き込み範囲にレーザ光の焦点を移動させるために、フォーカスサーチが行われるが、このときには制御部７０からの制御信号によってフォーカスサーボループを開いた状態で焦点の移動が行われる。
【００３４】
一方、トラッキングエラー信号ＴＥはトラック制御回路９に供給される。トラック制御回路９はトラッキングエラー信号ＴＥに応じてトラック駆動信号を生成する。トラック制御回路９から出力されるトラック駆動信号は、トラッキング方向の駆動コイル３２に供給される。これによりレーザ光が光ディスク１００上に形成されたトラック上を常にトレースするトラッキングサーボ制御が行われる。
【００３５】
なお、後述する高速シーク動作では、送りモータ４による光ピックアップ３の移動と、駆動コイル３２による対物レンズの移動とが併用して行われる。このときには、制御部７０からの制御によってトラッキングサーボループはオープンにされ、シーク制御部９０から供給される対物レンズ移動量信号によって対物レンズ３０の径方向の位置が制御される。
【００３６】
上記フォーカスサーボ制御およびトラッキングサーボ制御が行われることで、レーザ光の焦点は、光ディスク記録面のトラック上を精度良く追従することができる。この結果、光検出器４０の各光検出セルの出力信号の全加算信号ＲＦには、記録情報に対応して光ディスク１００のトラック上に形成されたマークやスペースからの反射光の変化が正確に反映され、品質の良い再生信号を得ることができる。
【００３７】
この再生信号（全加算信号ＲＦ）は、プリアンプ／等化器６５に入力され、ここで適宜の振幅に増幅されアナログ的な波形整形が行われる。プリアンプ／等化器６５の出力は、２値化処理部６６に入力され、適宜の閾値でスライスされてデジタルデータに変換される。また、このデジタルデータの一部は、ＰＬＬ制御回路６１に入力され、デジタルデータの基本波成分から再生用基本クロックが生成される。
【００３８】
デジタル化された再生信号は、データ復号部８０に入力される。データ復号部８０では、再生信号に含まれる同期信号を検出し、同期信号に所定の遅延時間で連なっているデータ系列を抽出し、復号データを得る。
【００３９】
データ復号部８０から出力される復号データはエラー訂正部７５に入力され、ここでエラー訂正処理が行われた後Ｉ／Ｆ部７１を介してホスト装置２００に出力される。
【００４０】
（２）高速シーク動作
音楽や映像を通常の速度で連続的に再生する場合には、トラッキングサーボループを閉じた状態でトラッキング制御回路９から出力されるトラック駆動電流によって対物レンズ３０の位置はトラック上に制御される。このとき、トラッキングサーボループのＤＣ成分が送りモータ制御回路５に入力され、光ピックアップ３の位置も光ディスク１００の内周から外周方向へゆっくりと移動する。このような動作によって、光ディスク１００の内周から外周に向かって螺旋状に形成されているトラックに沿ってレーザ光の焦点は移動していく。
【００４１】
他方、音楽や映像を早送りする場合や、ホスト装置２００から指示される特定の曲やチャプターに移動する場合には、高速シーク動作が行われる。高速シーク動作では、光ディスク１００の径方向にレーザ光の焦点を一気に移動させる。移動量はシーク量と呼ばれ、例えば現在のトラックから移動先のトラックまでのトラック本数等で表わされる。音楽や映像を早送りする場合には、高速シーク動作が連続的に行われることになる。
【００４２】
高速シーク動作が行われるときは、一旦トラッキングサーボループが開かれ、目的とするトラックに移動した後、再度トラッキングサーボループが閉じられる。
【００４３】
ホスト装置２００から早送りの指示や特定の曲やチャプターに移動する指示が出されると、制御部７０では、移動すべき量をシーク量に変換して図１に示したシーク制御部９０に出力する。
【００４４】
シーク制御部９０では、シーク量を２つの移動量に割り振る。１つは、対物レンズ３０を光ピックアップ３の内部で径方向に移動させるための対物レンズ移動量であり、他の１つは、光ピックアップ３全体を径方向に移動させるためのピックアップ移動量である。
【００４５】
本実施形態では、シーク制御部９０がシーク量を２つの移動量に割り振る際に、対物レンズ移動量の上下限値を考慮して決定する方式を採用している。
【００４６】
図２は、その理由を説明する図である。対物レンズ３０を光ピックアップ３の内部で径方向に移動させる場合、トラック駆動電流を駆動コイル３２に流すことによって生じる電磁力を用いて移動させている。トラック駆動電流がゼロのとき電磁力は径方向に発生せず、対物レンズ３０は、図２（ａ）の破線丸印で示す中立位置にある。この中立位置から、図２において左右方向（径方向）の変位量をレンズシフト量と呼ぶものとする。
【００４７】
対物レンズ３０が中立位置にあるときは、対物レンズ３０の光軸は光ディスク１００の記録面に対して垂直になるように調整されている。このとき、図２（ｂ）に示したようにジッタ量は最も小さくなる。ジッタ量は光ディスク装置１の総合的な再生性能を表わす重要な評価指標の１つであり、ジッタ量の増加に伴って再生データの誤り率も増加する。
【００４８】
レンズシフトを行った場合、中立位置からのレンズシフト量が大きくなるにつれて対物レンズ３０の光軸が傾斜してくる。これに起因して、シフト位置での再生信号の波形は、中立位置での波形に比べると若干歪みが生じ、結果的にジッタ量が多くなり再生データの誤り率が増加してくる。
【００４９】
そこで、本実施形態では、レンズシフト量の限界を示すシフト量閾値を中立位置の両側に設け、対物レンズ３０の位置がこのシフト量閾値を超えて移動することがないようにしている。シフト量閾値は、ジッタ量の劣化に基づいて定めており、例えば、中立位置におけるジッタ量よりも１％だけジッタが増加する対物レンズ３０の位置をシフト量閾値として設定している。
【００５０】
次に、このシフト量閾値を用いた高速シーク動作について説明する。図３は、本実施形態に係る高速シーク動作の処理の一例を示すフローチャートである。また、図４は、光ピックアップ３の位置と、対物レンズ３０の位置とを模式的に示すことによって、本実施形態に係る高速シーク動作を説明する図である。
【００５１】
図３のステップＳＴ１で、シーク制御部９０は制御部７０からシーク量Ｌｓを受領する。この段階では、トラッキングサーボ処理を行っており、対物レンズ３０は、図４（ａ）に例示した移動前の位置にある。
【００５２】
シーク制御部９０は、受領したシーク量Ｌｓが、対物レンズ３０のみをシフト量閾値の範囲内で移動させることによって移動できる量か否かを判定する（ステップＳＴ２）。シーク量Ｌｓが小さく、対物レンズ３０をシフト量閾値の範囲内で目的のトラックまで移動させることができる場合（ステップＳＴ２のYES）、ステップＳＴ３に進む。
【００５３】
ステップＳＴ３では、トラッキングサーボループを一旦開いてホールドし、指示されたシーク量Ｌｓだけ対物レンズ３０を移動させる（対物レンズ３０を瞬時に移動させるため、レンズジャンプという場合もある）。対物レンズ３０を移動させた後、トラッキングサーボループを閉じてトラッキングサーボ処理を再開する。この場合、ステップＳＴ２の判定により、レンズシフト量がシフト量閾値内に入ることが保証されているため、ジッタ量も所定の範囲内に収まっている。
【００５４】
一方、ステップＳＴ２にて、対物レンズ３０のみをシフト量閾値の範囲内で移動させても、指示されたシーク量Ｌｓの移動ができないと判定されると（ステップＳＴ２のＮＯ）、対物レンズ３０の移動と光ピックアップ３の移動とを併用することになる。この場合ステップＳＴ４に進む。
【００５５】
ステップＳＴ４では、対物レンズ３０がシフト量閾値内に入る条件の下で、対物レンズの移動量Ｌａと、光ピックアップ３の移動量Ｌｂとを決定する。対物レンズの移動量Ｌａと、光ピックアップ３の移動量Ｌｂの合計値（Ｌａ＋Ｌｂ）が指示されたシーク量Ｌｓである。ここで決定された対物レンズの移動量Ｌａは、ジッタ量が所定の範囲内に収まることが保証された移動量である。
【００５６】
次に、トラッキングサーボループを一旦開いてホールドした後、先に光ピックアップ３の位置を移動量Ｌｂだけ移動させる（ステップＳＴ５）。その後、光ピックアップ３の移動が完了したか否かを確認する（ステップＳＴ６）。この確認は、送りモータ制御回路５からフィードバックされる移動量モニタ信号によって行うことができる。
【００５７】
光ピックアップ３の移動完了を確認した後、対物レンズ３０をステップＳＴ４で決定した移動量Ｌａだけ移動させ、トラッキングサーボループを閉じる（ステップＳＴ７）。
【００５８】
特許文献１が開示するように、光ピックアップ３の移動と対物レンズ３０の移動を同時に行う方法も考えられるが、この方法では次のような不都合が発生する場合がある。一般に、モータの回転を伴う光ピックアップ３の移動の応答速度は、電磁力による対物レンズの移動の応答速度に比べると遅い。このため、光ピックアップ３の移動と対物レンズ３０の移動を同時に指示した場合、実際には対物レンズ３０の移動が先に行われ、光ピックアップ３の移動が完了する前にトラッキングサーボ処理が開始され、読み込みの悪い位置でトラッキングサーボ処理が開始されてしまう事象が起こりうる。
【００５９】
このような不都合を回避するためには、応答性の高い送りモータや送り機構を必要とし、光ディスク装置１全体のコストを引き上げてしまう。
【００６０】
これに対して、本実施形態では、図３に示したように、先に光ピックアップ３を移動させ、その移動の完了を確認した後、対物レンズ３０を移動させ、その後トラッキングサーボループを閉じるシーケンスとしている。
【００６１】
このため、光ピックアップ３の移動と対物レンズ３０の移動を同時に行う場合に比べると若干シーク動作全体の速度は遅くなるものの、目的とするトラックに確実に移動し、そこでの安定したトラッキングサーボ処理が可能となる。また、必ずしも応答性の高い送りモータや送り機構を必要としないため、光ディスク装置１全体のコストを抑えることができる。
【００６２】
以上説明してきたように、本実施形態に係る光ディスク装置１、及びその制御方法によれば、対物レンズのレンズシフトと光ピックアップの移動を併用して光ディスクの高速シーク動作を行う光ディスク装置において、レンズシフトによるシフト量を所定の閾値を超えないようにすることでジッタの発生を防止すると共に、目的とするトラックに確実に移動させ、安定性の高い高速シーク動作を実現することができる。
【００６３】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６４】
【図１】本発明の実施形態に係る光ディスク装置の構成例を示す図。
【図２】対物レンズのレンズシフト量とジッタ量の関係を示す図。
【図３】本実施形態に係る光ディスク装置の高速シーク動作の処理例を示すフローチャート。
【図４】本実施形態に係る光ディスク装置の高速シーク動作の概念説明図。
【符号の説明】
【００６５】
１  光ディスク装置
２  スピンドルモータ
３  光ピックアップ
４  送りモータ
５  送りモータ制御回路
４０  ピックアップ移動手段
６０  再生部
９０  シーク制御部